(57)【要約】      （修正有）【課題】石膏を使用した中空球の作成において、厚みが２ｍｍ〜８ｍｍの、均一な中空球を作成する方法を提供する。【解決手段】２個の風船を使い二重にし、内側の風船を水で満たし、口を結び内側の風船と外側の風船の間に石膏を入れ、空気を抜いて口を結び、それを約１５〜２０分間水の中で均一に回転させ、固形となってから約３０分養生し、外の風船を取り除き、次に中の風船と水を取り除くことで厚さ２ｍｍ〜８ｍｍ石膏の中空円を作成することができる。【選択図】図３
2020026115.tif 000002
【特許請求の範囲】
【請求項１】
ふくらました時の直径が１０〜２５ｃｍの風船を二重にし、内側の風船に水を満たし
結んで、中の風船と外の風船との間２〜８ｍｍの厚さになるように石膏液を満たし、
外側の風船を結んで、石膏が固まるまで水槽の中で、まんべんなく回転させ固形化
してから養生し、外の風船を取り去り、中の水及び風船を取り去って、中空球を作成
することを特徴とする石膏を使用した中空球の作成方法。
【発明の詳細な説明】
【技術分野】
【０００１】
本発明は、石膏を使用した中空球の作成方法に関するものである。
【背景技術】
【０００２】
従来は、１枚の風船に石膏液を入れて中の石膏液が固まるまで手で回して、中空の石膏球を作成していた。
【０００３】
しかし、石膏液が固形化するのに１５分間ほどかかるが、その間一様に回転させるのが難しく、個人のスキルにもよる為、形よく成功する確率は５％ほどであった。
【０００４】
また手でまんべんなくかつ一様に石膏液の入った風船を、1５分間ほど継続して回転させることが、難しかった。
【０００５】
従来は1枚の風船に石膏液を入れ、石膏液が固まるまでまんべんなく回転させる方法で、作成していたため、厚みが均一になりにくく成功率は５％ほどであった。
この改善策として、本発明は風船を二重にし、内側の風船に水を満たし結んで、中の風船と外の風船との間に石膏液を満たし、空気を抜いて外側の風船を結んで、石膏が固まるまで水槽の中で、まんべんなく回転させ固形化してから養生し、外の風船を取り去り、中の水及び風船を取り去って、中空の球を作成するやり方とした。この方法により成功率が7割ほどに上昇する。
【発明の概要】
【発明が解決しようとする課題】
【０００６】
石膏の厚みが２ｍｍ〜８ｍｍの、均一な中空の球を作成する方法を提供する。
【課題を解決するための手段】
【０００７】
本発明は、２個の９インチの風船を使い二重にし、内側の風船を水で満たした後で口を結び、内側の風船と外側の風船の間にＡ級石膏液を入れ、外側の風船の口を結びそれを約１５分〜２０分間水の中で均一にまわし固形となってから約３０分養生し、外の風船を取り除き、次に中の風船と水を取り除き石膏の中空円を作成することを特徴とする。風船の材質は汎用のゴム製が望ましい。
風船の大きさは１０ｃｍ〜２５ｃｍであることが必要である。
石膏はＡ級石膏が望ましい。
回転させる時間は固化するまでであるが通常１５分から３０分が好ましい。
水槽の水温は常温１５℃〜３０℃が好ましい。
養生とは、ビニール紐を張り、固形化した石膏をビニール袋に入れ、約３０分間ぶら下げ、固形化を更に促進させ強度を増加させることをいう。
【発明の効果】
【０００８】
本発明により厚み２ｍｍ〜８ｍｍの均一な中空の石膏球を作成する方法を提供する。石膏の中空球が確実にできるようになれば、さまざまな置物、加工品、複数個の組み合わせに活用できるという展開ができるようになる。
【図面の簡単な説明】
【０００９】
【図１】図１は石膏の中空球の作成方法を示した説明図である。
【図２】図２は石膏の中空球の作成方法を示した説明図である。
【図３】図３は石膏の中空球の作成方法を示した説明図である。
【図４】図４は石膏の中空球の作成方法を示した説明図である。
【発明を実施するための形態】
【００１０】
材料は９インチ風船２枚、牛乳パックＨ２０ｃｍ２個、Ａ級石膏３００ｇ、（大きい球は石膏５００ｇ）、割りばし１膳、水２００ｃｃ、２Ｌペットボトル、鋏、輪ゴム、紐約５ｍ、カッターナイフ、ブルーシート、水槽、ホース、である。
制作の手順は図１〜図４に示す。
【実施例１】
【００１１】
図１は、１の割りばしを使い、２の風船を３の風船に入れて２重にする。
次に内側の２の風船に希望の大きさに４の水道で水を入れ、口を結び結び目の外側を切り取る。そして５のように内側の風船を水で満たし、２００ｃｃ程外側の風船を膨らまし、６の外側の風船の口を押えるまでを示す。
【００１２】
図２は１０の約２００ｃｃ水の入った牛乳パックに、７の約３００ｇの石膏の入った牛乳パックで８の石膏を入れ、９の割り箸で良くかき混ぜ石膏液を作成する。（この時水と石膏の割合は２：３を目安とする。）
その後１１の牛乳パックに入った石膏液を１２の２リットルのペットボトルに石膏液を入れるまでを示す。
【００１３】
図３は１３の内側に水の入った風船の外側の風船を１４の石膏液の入ったペットボトルの口に被せる。このとき外側の風船に空気を３００ｃｃ吹き込んでおく。
次に内側に水の入った風船の外側の風船と、石膏液の入ったペットボトルの上下を入れ替え、１６のペットボトルの中の石膏液を、１７の内側の風船と外側の風船の間に移す。そして１８の外側の風船の口を押える。
次に中側の風船と外側の風船の間の石膏液に空気の泡が残らないように外側の風船の口から空気を逃がし、１９の口を縛って内側に水が入り、内側と外側の間に石膏液の入った風船を作る。ここは水槽の水中でやると空気が逃がしやすい。次に２０の内側に水が入り、内側と外側の間に石膏液の入った風船を、水槽の水中で水平にして、石膏が固まるまで水平軸がぶれないように、均一に同じ調子で約１５分間回すまでを示す。
【００１４】
図４は内側に水が入り、内側と外側の間に石膏液の入った風船の石膏がある程度固まったら完全に固まるまで、２１の紐を使い２２の袋に入れ、ぶら下げておく。（固定化する）次に２３のように結び口を下にして、２４のカッターまたは鋏を使い、石膏を割らないように外の風船を取り去る。次に内側の風船のへその部分に穴をあけ少しずつ水を抜く。その後内側の風船を抜き去るまでを示す。これで中空の石膏球が出来上がる。  
【産業上の利用可能性】
【００１５】
石膏の中空球が確実にできるようになり、さまざまな置物、加工品、複数個の組み合わせに活用できるという展開が出来る。
【符号の説明】
【００１６】
１…割りばし
２…内側の風船9インチ
３…外側の風船
４…水道
５…水を充填した風船
６…口を結んだ内側の風船
７…石膏を入れた牛乳パック
８…石膏  
９…撹拌用割りばし
１０…水を入れた牛乳パック
１１…石膏液の入った牛乳パック
１２…石膏液の入った２Ｌのペットボトル
１３…内側に水の入った風船の入っている外側の風船
１４…２Ｌペットボトルの口
１５…石膏液の入ったペットボトル
１６…空になったペットボトル
１７…内側に水が入り内側と外側の間に石膏液の入った風船
１８…口を指で押さえる
１９…口を縛った外側の風船
２０…内側に水が入り、内側と外側の間に石膏液の入った風船
２１…石膏液が有る程度固まった風船をぶら下げるための紐
２２…ビニール袋に入った石膏液がある程度固まった風船
２３…内側に水が入り、内側と外側の間に固まった石膏の入った風船
２４…カッター
【図１】
2020026115.tif 000003
【図２】
2020026115.tif 000004
【図３】
2020026115.tif 000005
【図４】
2020026115.tif 000006